(57)【特許請求の範囲】
【請求項１】
温水が供給される熱交換器と、この熱交換器を介して熱交換された空気を浴室内に吹き出すファンと、このファン及び駆動用ファンモータを内蔵するファンケースと、前記熱交換器、ファン、ファンモータ及びファンケースを収納する本体ケースとを備えた浴室暖房機において、
前記ファンケースは、ファン及び熱交換器の上方に配され、かつ、前記熱交換器の上部を当ててそれを保持する上ケースと、熱交換された空気を吹き出す吹出口が形成される共に、前記上ケースの下側に組み付けられる下ケースとから構成され、
前記ファンケースの下ケースには、前記熱交換器の下部を支える支持板を組み付けて、この支持板、熱交換器、ファンケース、ファン及び駆動用ファンモータを一つの組立体としたことを特長とする浴室暖房機。
【発明の詳細な説明】
【０００１】
【発明の属する技術分野】
本発明は、浴室の天井裏等に設置して浴室内に温風を循環させ浴室内の暖房を行う浴室暖房機に関するものである。
【０００２】
【従来の技術】
従来、浴室の天井裏等に設置し浴室内を暖房する浴室暖房機が知られている。この種の浴室暖房機は、例えば、図６に示すように、箱体状の本体ケース７２Ａを有する本体７２と、本体７２の底面に取り付けられる吸込グリル７３とを備え、本体ケース７２Ａ内に、外部の熱源機等から温水の供給される熱交換器７４と、浴室Ａ内の空気を吸い込みこの熱交換器７４を介して熱交換された空気を浴室Ａ内に吹き出す送風機７５と、浴室Ａ内の空気を換気する換気装置７６と、これら送風機７５や換気装置７６に電力を供給する電装部等とを備えている。そして、送風機７５は、ファン７７、ファン駆動用モータ（図示せず）及びファンケース７８とから構成される。
【０００３】
ここで、例えば、前記浴室暖房機本体７２内のファン７７または駆動用ファンモータ等の部品を修理・交換する場合には、吸込グリル７３を外して本体ケース７２Ａから熱交換器７４及びファンケース７８を取り外し、ファンケース７８内のファン７７またはファンモータを取り出して行っている。
【０００４】
【発明が解決しようとする課題】
しかしながら、浴室暖房機７１の設置後に前述したような部品の取り出し作業を行う場合には、上方に向って作業を行うため、作業がやり難く作業性の向上が望まれていた。
【０００５】
本発明は、上述した事情に鑑みて成されたものであり、本体内の部品を取り出して修理・交換する際、部品の取り出しを容易にして修理・交換作業を容易にする浴室暖房機を提供することを目的とする。
【０００６】
【課題を解決するための手段】
上記目的を達成するために、請求項１に記載の発明は、温水が供給される熱交換器と、この熱交換器を介して熱交換された空気を浴室内に吹き出すファンと、このファン及び駆動用ファンモータを内蔵するファンケースと、前記熱交換器、ファン、ファンモータ及びファンケースを収納する本体ケースとを備えた浴室暖房機において、前記ファンケースは、ファン及び熱交換器の上方に配され、かつ、前記熱交換器の上部を当ててそれを保持する上ケースと、熱交換された空気を吹き出す吹出口が形成される共に、前記上ケースの下側に組み付けられる下ケースとから構成され、前記ファンケースの下ケースには、前記熱交換器の下部を支える支持板を組み付けて、この支持板、熱交換器、ファンケース、ファン及び駆動用ファンモータを一つの組立体としたことを特徴とする。
【００１１】
【発明の実施の形態】
以下、本発明の一実施形態を図面に基づいて説明する。図１は本発明の一実施形態における浴室暖房装置の構成図、図２は浴室暖房機を下から見た斜視図、図３は浴室暖房機の一部を外して示す底面図、図４は浴室暖房機の縦断面図、図５は浴室暖房機の分解斜視図である。
【００１２】
図１において、浴室暖房装置１は、浴室Ａの天井裏Ｂ等に設置される浴室暖房機２と、この浴室暖房機２に温水等の熱媒を供給する熱源機３とを備え、温水配管４にて接続されている。浴室暖房機２には浴室Ａ内及びこの浴室Ａに隣接する脱衣室Ｃの換気をするための複数のダクト５、６が接続され、これらのダクト５、６が浴室Ａ及び脱衣室Ｃの天井裏Ｂに配設されている。また、浴室暖房装置１には、浴室暖房機２を操作するためのリモコン７が設けられ、リモコン７及び浴室暖房機２間、並びに浴室暖房機２及び熱源機３間が信号線８にて接続されている。
【００１３】
図２において、前記浴室暖房機２は、浴室Ａの天井開口部の裏側に４本の吊りボルト１１にて吊り下げられて設置される本体１２と、天井開口部を塞ぐように天井面に設けられる吸込グリル１３とから構成され、この吸込グリル１３が本体１２の底面にねじ止め固定される。
【００１４】
前記吸込グリル１３には吸込口１４と吹出口１５が並設され、吸込口１４には裏面にエアフィルタ１６が着脱自在に設けられ、吹出口１５の縁には吹出方向を調節するルーバー１７が設けられている。このルーバー１７は一端に設けられたルーバーモータ（図示せず）によって回動自在に駆動される。
【００１５】
図３〜図５において、前記浴室暖房機２の本体１２は、下方に開口する箱体状の本体ケース１２Ａを有し、この本体ケース１２Ａは、４つの側板１８ａ、１８ｂ、１８ｃ、１８ｄと天板１９を有して樹脂にて一体成型されている。この本体ケース１２Ａの四隅には窪み部が形成され、この窪み部に吊りボルトを固定するための固定部２１が形成されている。本体ケース１２Ａ内は、縦仕切板２２及びファンケース２３の一部によってほぼ半分に仕切られ熱交換室２４と換気室２５とが形成される（図４参照）。
【００１６】
前記熱交換室２４には、前記吸込グリル１３の吸込口１４及び吹出口１５をつなぐように通気口が設けられ、これらの通気口を連通する通風路２６が設けられている。この通風路２６内には、通過する空気を加熱する加熱手段としての熱交換器２７と、浴室Ａ内の空気を吸い込んで浴室Ａ内に吹き出すための送風機２８とが設けられている（図４参照）。
【００１７】
前記熱交換器２７は、横長の直方体形状で、所定間隔で複数枚配設された熱交換フィンに直交して温水管が蛇行状に配設されている。熱交換器２７は、図４で示すように、横幅が本体ケース１２Ａの一側板１８ａの横幅とほぼ同じ長さに形成されており、上部の一長辺が第１側板１８ａに接するとともに、下部が第１側板１８ａから離れて傾斜して配置されている。熱交換器２７の一側面（第２側板１８ｂ側）には、図３で示すように、温水管の入口３１と出口３２とが設けられ、これら入口３１と出口３２にそれぞれ内部温水管３１ａ、３２ａが接続されている。これら内部温水管３１ａ、３２ａは、第２側板１８ｂに沿って配設され、その先端にはそれぞれ入口側ヘッダー３３と出口側ヘッダー３４とが設けられ、第２側板１８ｂの換気室２５側に設けられた開口３５に臨み、入口側内部温水管３１ａの途中に温水の流れを断続する熱動弁３８が設けられている。両ヘッダー３３、３４には、これらを下から押える支持具３７が設けられ、この支持具３７により両ヘッダー３３、３４、内部温水管３１ａ、３２ａ及び熱動弁３８が本体ケース１２Ａに固定される。なお、これら両ヘッダー３３、３４には温水配管４が着脱自在に接続され、熱源機３に接続される（図１参照）。
【００１８】
前記送風機２８は、図４に示すように、前記熱交換器２７に並設されており、ファン４１と、このファンを駆動するファンモータ４２と、ファン４１及びファンモータ４２を内蔵するファンケース２３とから構成される。ファン４１には、クロスフローファンが用いられ、このファン４１の回転軸の一方側がファンモータ４２に接続され、他方側がファンケース２３内に設けられた軸受け４４に枢着される。
【００１９】
前記ファンケース２３は、図３に示すように、上ケース２３ａと下ケース２３ｂとから構成され、本体ケース１２Ａに固定されて本体ケース１２Ａ内に通風路２６を形成している。上ケース２３ａは、ほぼ熱交換室２４の上部を覆い、ファン４１の上方がファン４１の円周に沿って湾曲形成されるとともに、熱交換器２７の方向に拡張され熱交換器２７の上方を覆い熱交換器２７の上部に当てている。図３、図４において、ファン４１の側板の外方には、それぞれモータ４２及び軸受け４４を収納する収納部の上半分が形成されている。下ケース２３ｂは、モータ４２及び軸受け４４を収納する収納部の下半分が形成され、風の流れを下向きに導く側壁と風を吹き出す吹出口４５とが形成されている。この吹出口４５の下方には、前記ルーバー１７が設けられる。そして、下ケース２３ｂが上ケース２３ａに６本の取付ねじｅ、ｅ・・にて固定される。
【００２０】
前記熱交換器２７と前記ファンケース２３とは、下部を支持板５１によって支持されており、この支持板５１は、金属板を熱交換器２７の下部の形状に合わせて折曲加工し熱交換器２７の下部を押えるとともに、ファンケース２３に形成されたボスに４本の取付ねじｆ、ｆ・・にて止め固定される。これにより、熱交換器２７とファンケース２３とが連結され、熱交換器２７とファンケース２３とを１つの組立体とすることができる。この組立体は、本体ケース１２Ａに設けられたボスに３本の取付ねじｈ、ｈ、ｈにて固定される。
【００２１】
なお、符号５２は、吸込グリル１３の取付用金具であり、本体ケース１２Ａの下面四隅に固定され、熱交換器２７を本体ケース１２Ａから外す際には、２ヵ所の金具５２を外す必要がある。
【００２２】
前記換気室２５には、換気送風機５４と電装箱５５とが収納されている。換気送風機５４は、換気モータケース（図示せず）、換気ファン駆動するファンモータ５６、ケース仕切板５７、換気ファン５８、及び換気ファンケース５９を有し、上から順に配設されている。換気モータケースは本体ケース１２Ａと一体になっており、ケース仕切板５７は、上部に回転軸を下向きにして配置されたファンモータ５６を載置し、換気モータケースにねじ止め固定されている。ファンモータ５６の回転軸には、換気ファン５８としてのシロッコファンが接続されている。そして、ケース仕切板５７の下部には換気ファンケース５９がねじ止め固定されており、換気ファンケース５９は、下から見て渦巻形をし、ケース５９の下方に吸引口５９ａ、側方に吐出口５９ｂが形成されている。
【００２３】
前記電装箱５５には、熱源機３及び浴室暖房機２等の電気部品を制御して浴室暖房装置１を制御する制御基板６０が備えられ、この制御基板６０に前記ファンモータ４２及び換気ファンモータ５６のリード線がコネクタを介して挿脱自在に接続され、この制御基板６０は、信号線８にて熱源機３及びリモコン７につながれている。
【００２４】
このように構成された浴室暖房機２の熱交換室２４において、ファン４１及びファンモータ４２を収納するファンケース２３の上部が熱交換器２７の上方に拡張されて熱交換器２７の上部を支持しており、一方、ファンケース２３の下部及び熱交換器２７の下部に支持板５１がねじ止め固定され、固定されることによってファンケース２３と熱交換器２７とが連結し支持される。これにより、熱交換器２７及びファンケース２３を１つの組立体とすることができる。
【００２５】
前記熱交換器２７及びファンケース２３を組立体として外すことができるので、浴室暖房機２の設置後でも組立体を本体ケース１２Ａから容易に外すことができる。従来、熱交換器２７とファンケース２３とを別々に外していたのに比べ作業の単純化を図れることができる。
【００２６】
そして、ファン４１やファンモータ４２の修理・交換をする場合には、組立体を下に下ろして下の位置で分解し修理・交換作業を行うことができるので、作業を容易にすることができる。
【００２７】
なお、この組立体を本体ケース１２Ａから取り外す前に、吸込グリル１３、吸込グリル取付用金具５２の２ヵ所、ファンケース２３の本体ケース１２Ａへのねじ止め及び支持具３７等を外す必要はある。
【００２８】
以上、一実施形態に基づいて本発明を説明したが、本発明はこれに限定されるものではない。
【００２９】
【発明の効果】
以上説明したように、本発明は、温水が供給される熱交換器と、この熱交換器を介して熱交換された空気を浴室内に吹き出すファンと、このファン及び駆動用ファンモータを内蔵するファンケースと、前記熱交換器、ファン、ファンモータ及びファンケースを収納する本体ケースとを備えた浴室暖房機において、前記ファンケースは、ファン及び熱交換器の上方に配され、かつ、前記熱交換器の上部を当ててそれを保持する上ケースと、熱交換された空気を吹き出す吹出口が形成される共に、前記上ケースの下側に組み付けられる下ケースとから構成され、前記ファンケースの下ケースには、前記熱交換器の下部を支える支持板を組み付けて、この支持板、熱交換器、ファンケース、ファン及び駆動用ファンモータを一つの組立体とした構成であるから、ファンやファン駆動用モータ、更に熱交換器を修理・交換する時には、組立体を本体ケースから外し、その組立体を下の位置で分解して、修理・交換作業をすることができるので、作業を容易に行うことができる。
【００３０】
また、修理・交換作業の終了後には、下の位置で組立体を組み立てて本体ケースに取り付けられるので、取付作業も容易に行うことができる。
【図面の簡単な説明】
【図１】本発明の一実施形態における浴室暖房装置の構成図である。
【図２】図１の浴室暖房機を下から見た斜視図である。
【図３】図１の浴室暖房機の一部を外して示す底面図である。
【図４】図１の浴室暖房機の一部を外して示す縦断面図である。
【図５】図１の浴室暖房機の分解斜視図である。
【図６】従来の浴室暖房機の縦断面説明図である。
【符号の説明】
１  浴室暖房装置
２  浴室暖房機
３  熱源機
１２Ａ  本体ケース
１８ａ、１８ｂ、１８ｃ、１８ｄ  側板
１９  天板
２３  ファンケース
２３ａ  上ケース
２３ｂ  下ケース
２４  熱交換室
２５  換気室
２７  熱交換器
３３  入口ヘッダー
３４  出口ヘッダー
３７  支持具
３８  熱動弁
４１  ファン
４２  ファンモータ
５１  支持板
Ａ  浴室
Ｂ  天井裏
Ｃ  脱衣室
【図１】
0003851152.tif 000002
【図２】
0003851152.tif 000003
【図３】
0003851152.tif 000004
【図４】
0003851152.tif 000005
【図５】
0003851152.tif 000006
【図６】
0003851152.tif 000007